(57)【要約】【課題】無線通信装置に接続する電子機器を他の無線通信装置に移管するときのユーザの利便性を向上させることができる無線通信装置、無線通信システム、無線通信方法およびプログラムを提供すること。【解決手段】無線通信装置は、電子機器と通信接続する接続部と、自装置の利用状態を検出する検出部と、前記検出部により検出された自装置の前記利用状態が所定の条件を満たすか否かを判定する判定部と、前記判定部により自装置の前記利用状態が所定の条件を満たすと判定された場合に、前記通信接続された前記電子機器の機器情報と自装置から他の無線通信装置に前記電子機器の接続を切り替える要求を送信する送信部と、前記送信部により前記機器情報および前記要求が送信された前記他の無線通信装置から接続情報を受信する受信部と、前記受信部により受信された前記接続情報を前記電子機器に通知する通知部と、を備えることを特徴とする。【選択図】図３
2015091034.tif 000002
【特許請求の範囲】
【請求項１】
電子機器と通信接続する接続部と、
自装置の利用状態を検出する検出部と、
前記検出部により検出された自装置の前記利用状態が所定の条件を満たすか否かを判定する判定部と、
前記判定部により自装置の前記利用状態が所定の条件を満たすと判定された場合に、前記通信接続された前記電子機器の機器情報と自装置から他の無線通信装置に前記電子機器の接続を切り替える要求を送信する送信部と、
前記送信部により前記機器情報および前記要求が送信された前記他の無線通信装置から接続情報を受信する受信部と、
前記受信部により受信された前記接続情報を前記電子機器に通知する通知部と、
を備えることを特徴とする無線通信装置。
【請求項２】
前記利用状態は、自装置の電池の状態、自装置とネットワークとの通信状態の少なくともいずれかであること
を特徴とする請求項１に記載の無線通信装置。
【請求項３】
電子機器と前記電子機器と通信接続する第１無線通信装置と第２無線通信装置とを含む無線通信システムであって、
前記第１無線通信装置は、
前記電子機器と通信接続する接続部と、
前記第１無線通信装置の利用状態を検出する検出部と、
前記検出部により検出された前記第１無線通信装置の前記利用状態が所定の条件を満たすか否かを判定する判定部と、
前記判定部により前記第１無線通信装置の前記利用状態が所定の条件を満たすと判定された場合に、前記通信接続された前記電子機器の機器情報と自装置から前記第２無線通信装置に前記電子機器の接続を切り替える要求を送信する送信部と、
前記送信部により前記機器情報および前記要求が送信された前記第２無線通信装置から接続情報を受信する受信部と、
前記受信部により受信された前記接続情報を前記電子機器に通知する通知部と、
を備え、
前記第２無線通信装置は、
前記第１無線通信装置により前記機器情報および前記要求を受信する受信部と、
前記受信部が前記要求に基づいて前記第１無線通信装置に自装置の接続情報を送信する送信部と、
を備え、
前記電子機器は、
前記第１無線通信装置から受信した前記第２無線通信装置への接続情報に基づいて、前記第２無線通信装置に接続する接続部
を備えることを特徴とする無線通信システム。
【請求項４】
電子機器と通信接続する接続ステップと、
自装置の利用状態を検出する検出ステップと、
前記検出ステップにより検出された自装置の前記利用状態が所定の条件を満たすか否かを判定する判定ステップと、
前記判定ステップにより自装置の前記利用状態が所定の条件を満たすと判定された場合に、前記通信接続された前記電子機器の機器情報と自装置から他の無線通信装置に前記電子機器の接続を切り替える要求を送信する送信ステップと、
前記送信ステップにより前記機器情報および前記要求が送信された前記他の無線通信装置から接続情報を受信する受信ステップと、
前記受信ステップにより受信された前記接続情報を前記電子機器に通知する通知ステップと、
を有することを特徴とする無線通信方法。
【請求項５】
無線通信装置のコンピュータに、
電子機器と通信接続する接続ステップと、
自装置の利用状態を検出する検出ステップと、
前記検出ステップにより検出された自装置の前記利用状態が所定の条件を満たすか否かを判定する判定ステップと、
前記判定ステップにより自装置の前記利用状態が所定の条件を満たすと判定された場合に、前記通信接続された前記電子機器の機器情報と自装置から他の無線通信装置に前記電子機器の接続を切り替える要求を送信する送信ステップと、
前記送信ステップにより前記機器情報および前記要求が送信された前記他の無線通信装置から接続情報を受信する受信ステップと、
前記受信ステップにより受信された前記接続情報を前記電子機器に通知する通知ステップと、
を実行させるためのプログラム。
【発明の詳細な説明】
【技術分野】
【０００１】
本発明は、無線通信装置、無線通信システム、無線通信方法およびプログラムに関する。
【背景技術】
【０００２】
近年、携行可能かつ電池駆動の無線ルータ（モバイル無線ルータ）や通信端末を内蔵したモバイルコンピュータ（携帯電話通信網などの通信網に接続された多機能端末装置（以下、スマートフォンとも称する。）など）をモデムのように用いてＡＰ（Ａｃｃｅｓｓ  Ｐｏｉｎｔ；アクセスポイント）として動作させ、当該ＡＰに接続する他の電子機器を、当該ＡＰを介してインターネットなどの他の通信網に接続させて利用することが増えてきている。この傾向は、携行可能な電子機器だけでなく、車に搭載される車載装置についても同様である。以下の説明において、モバイルコンピュータをＡＰとして動作させて当該ＡＰに接続する他の電子機器をネットワークに接続させることをテザリング機能と称する。
例えば、特許文献１に記載の技術は、携帯端末機におけるデバイス接続装置が、特定のデバイスとの接触を介して通信接続のためのデバイス情報を交換する近距離通信モジュールと、交換されるデバイス情報に基づいて特定のデバイスへの通信を接続するように近距離通信モジュールを制御する制御部とを有するものである。
【先行技術文献】
【特許文献】
【０００３】
【特許文献１】特開２０１３−１１５８２８号公報
【発明の概要】
【発明が解決しようとする課題】
【０００４】
ところで、ネットワークにおいて、ＡＰとして動作する１台の電子機器（テザリング機能を有する電子機器）を無線親機とし、当該親機に接続するタブレット端末などの複数の電子機器を無線子機と仮定する。例えば、当該無線子機の台数は、３台である。その際、各無線子機のユーザが個々の電子機器を快適に利用する為には、ＡＰがネットワークの中心として確実に稼働している必要があり、無線親機のユーザは、ＡＰの電池残量や電波状況を注視する必要がある。そして、問題が発生しそうな場合、例えば無線親機の電池残量が僅かとなったり、無線親機の電波状態が不安定になったりした場合には、他のＡＰとして動作する機能を有する電子機器に、接続中の全ての無線子機を移管する事が好ましい。
【０００５】
この時、もっとも簡単な切り換え方法は、ＡＰとして動作する無線親機のテザリング機能を中止し、他のテザリング機能を有する電子機器をＡＰとして、新たなＡＰとなった電子機器（新たな無線親機）のテザリング機能を開始することである。この場合、各無線子機は、新たな無線親機を自動的に検出し、接続を試みることが一般的である。しかしながら、新たな無線親機の所有者が当該無線親機の操作を直ぐにすることができなかったり、当該無線親機の所有者が当該無線親機の操作方法がわからなかったりした場合、各無線子機は、新たな無線親機に接続することができない。また、各無線子機についても、新たな無線親機の暗号キーを保有しているとも限らず、接続設定を新たに行う必要が生じる。
【０００６】
しかしながら、特許文献１に記載の技術では、Ｐ２Ｐ通信の設定を前提としているため、新たな無線親機と各無線子機とを接触させることで近距離通信を用いて接続設定を行える可能性があるが、全ての子機と当該無線親機とを接触させる必要がある。このため、特許文献１に記載の技術を用いても、無線親機となるＡＰを切り替えるときの作業が煩雑であった。
このように、無線通信装置に接続する電子機器を他の無線通信装置に移管するときのユーザの利便性が十分でないという問題があった。
【０００７】
本発明は、上記の点に鑑みてなされたものであり、無線通信装置に接続する電子機器を他の無線通信装置に移管するときのユーザの利便性を向上させることができる無線通信装置、無線通信システム、無線通信方法およびプログラムを提供することを課題とする。
【課題を解決するための手段】
【０００８】
（１）本発明は上記の課題を解決するためになされたものであり、本発明の第１の態様は、無線通信装置であって、電子機器と通信接続する接続部と、自装置の利用状態を検出する検出部と、前記検出部により検出された自装置の前記利用状態が所定の条件を満たすか否かを判定する判定部と、前記判定部により自装置の前記利用状態が所定の条件を満たすと判定された場合に、前記通信接続された前記電子機器の機器情報と自装置から他の無線通信装置に前記電子機器の接続を切り替える要求を送信する送信部と、前記送信部により前記機器情報および前記要求が送信された前記他の無線通信装置から接続情報を受信する受信部と、前記受信部により受信された前記接続情報を前記電子機器に通知する通知部と、を備えることを特徴とする無線通信装置である。
【０００９】
（２）また、本発明の第２の態様は、無線通信システムであって、電子機器と前記電子機器と通信接続する第１無線通信装置と第２無線通信装置とを含む無線通信システムであって、前記第１無線通信装置は、前記電子機器と通信接続する接続部と、前記第１無線通信装置の利用状態を検出する検出部と、前記検出部により検出された前記第１無線通信装置の前記利用状態が所定の条件を満たすか否かを判定する判定部と、前記判定部により前記第１無線通信装置の前記利用状態が所定の条件を満たすと判定された場合に、前記通信接続された前記電子機器の機器情報と自装置から前記第２無線通信装置に前記電子機器の接続を切り替える要求を送信する送信部と、前記送信部により前記機器情報および前記要求が送信された前記第２無線通信装置から接続情報を受信する受信部と、前記受信部により受信された前記接続情報を前記電子機器に通知する通知部と、を備え、前記第２無線通信装置は、前記第１無線通信装置により前記機器情報および前記要求を受信する受信部と、前記受信部が前記要求に基づいて前記第１無線通信装置に自装置の接続情報を送信する送信部と、を備え、前記電子機器は、前記第１無線通信装置から受信した前記第２無線通信装置への接続情報に基づいて、前記第２無線通信装置に接続する接続部を備えることを特徴とする無線通信システムである。
【発明の効果】
【００１０】
本発明によれば、無線通信装置に接続する電子機器を他の無線通信装置に移管するときのユーザの利便性を向上させることができる。
【図面の簡単な説明】
【００１１】
【図１】本発明の第１の実施形態に係る無線通信システムの構成の一例を示す概略図である。
【図２】本発明の第１の実施形態に係る電子機器（無線子機）の構成の一例を示す概略ブロック図である。
【図３】本発明の第１の実施形態に係るアクセスポイント（無線通信装置）の構成の一例を示す概略ブロック図である。
【図４】本発明の第１の実施形態に係るアクセスポイントおよび電子機器における移管処理の一例を示すシーケンス図である。
【図５】本発明の第２の実施形態に係るアクセスポイントおよび電子機器における移管処理の一例を示すシーケンス図である。
【図６】本発明の第３の実施形態に係るアクセスポイントおよび電子機器における移管処理の一例を示すシーケンス図である。
【図７】本発明の第４の実施形態に係るアクセスポイントおよび電子機器における移管処理の一例を示すシーケンス図である。
【図８】本発明の第５の実施形態に係るアクセスポイントおよび電子機器における移管処理の一例を示す概略図である。
【図９】本発明の第５の実施形態に係るアクセスポイントおよび電子機器における移管処理の他の一例を示す概略図である。
【図１０】本発明の第５の実施形態に係るアクセスポイントおよび電子機器における移管処理の他の一例を示す概略図である。
【発明を実施するための形態】
【００１２】
（第１の実施形態）
以下、図面を参照しながら本発明の第１の実施形態について詳しく説明する。
図１は、本発明の第１の実施形態に係る無線通信システムＳ１の構成の一例を示す概略図である。
無線通信システムＳ１は、アクセスポイント１（第１無線通信装置）とアクセスポイント３（第２無線通信装置）とのそれぞれがネットワークＮＷに接続される。各アクセスポイント（無線通信装置）は、例えばモバイル無線ルータや通信端末を内蔵したモバイルコンピュータ（携帯電話通信網などの通信網に接続されたスマートフォン）などをモデムのように用いてＡＰ（Ａｃｃｅｓｓ  Ｐｏｉｎｔ；アクセスポイント）として動作させる機能（テザリング機能）を有する通信装置である。ネットワークＮＷは、例えば公衆ネットワークである。
【００１３】
アクセスポイント１は、テザリング機能を起動し、無線親機として動作してプライベートネットワークを形成する。アクセスポイント１には、無線通信機能を備える電子機器が接続される。当該電子機器は、例えば３台であり、無線子機２１、無線子機２２、無線子機２３としてアクセスポイント１に接続される。以下の説明において、無線子機２と記載するときは、無線子機２１、無線子機２２、無線子機２３を含むものとして説明する。無線子機２は、一台であってもよいし、複数台であってもよい。また、各無線子機２と記載するときは、無線子機２のいずれかを指すものとして説明する。
【００１４】
ここで、アクセスポイント１は、自装置の利用状態が所定の条件を満たすとき、アクセスポイント１に接続している無線子機２を、アクセスポイント３に移管させる。ここで、自装置の利用状態とは、例えば、アクセスポイント１の電池の状態、アクセスポイント１の通信状態の少なくともいずれかである。電池の状態とは、例えば、アクセスポイント１の電池残量や電池消費量などのことである。アクセスポイント１の通信状態とは、例えば、アクセスポイント１におけるネットワークＮＷの電波受信状態、アクセスポイント１のネットワークＮＷの通信品質、アクセスポイント１と無線子機２との通信品質である。通信品質とは、通信速度、通信誤り率、スループットなどのことである。
【００１５】
例えば、アクセスポイント１は、自装置の電池残量が所定の閾値未満となったときや自装置におけるネットワークＮＷの電波受信状態が所定の閾値未満となったときなど、自装置の利用状態が所定の条件を満たすとき、自装置に接続する無線子機２をアクセスポイント３に移管する移管処理を行う。移管処理については、後述する。移管処理後、アクセスポイント３は、新たな無線親機として動作する。無線子機２は、当該アクセスポイント３に接続する。なお、図１では、アクセスポイント１からアクセスポイント３への移管後の無線子機２を、説明の便宜上、無線子機２ａと記載しているが、無線子機２と無線子機２ａとは同一の無線子機である。なお、無線子機２の構成台数は、移管前と移管後で同一の電子機器数であるものとして説明するが同一の電子機器数でなくてもよい。
【００１６】
図２は、本発明の第１の実施形態に係る電子機器（無線子機２）の構成の一例を示す概略ブロック図である。
無線子機２は、表示部２０１と、操作部２０２と、音声入出力部２０３と、センサー部２０４と、記憶部２０５と、主制御部２０６と、無線子機通信部２０７と、送受信アンテナ２０８と、を含んで構成される。主制御部２０６は、接続情報取得部２０６１を含んで構成される。
表示部２０１は、液晶ディスプレイ、プラズマディスプレイ、有機ＥＬディスプレイなどの表示装置を備え、主制御部２０６から入力される指示信号および画像信号に基づいて、画像を表示する。
【００１７】
操作部２０２は、キーボードやタッチパネルなどの入力装置を備え、ユーザからの操作を受け付け、当該操作に応じた操作信号を主制御部２０６に出力する。
音声入出力部２０３は、マイクなどの音声入力装置およびスピーカなどの音声出力装置を備え、ユーザからの音声入力に応じた音声信号を主制御部２０６に出力し、主制御部２０６から入力される音声信号に応じた音声を出力する。
センサー部２０４は、加速度センサー、モーションセンサー、接触センサーなどの各種センサーを備え、各センサーの検出値に応じた信号を主制御部２０６に出力する。
【００１８】
記憶部２０５は、無線子機２を制御するための各種プログラムや、各種情報を記憶し、主制御部２０６により、読み出しや書き込みが実行される。
無線子機通信部２０７は、主制御部２０６から入力される各種信号またはネットワークを介して受信した信号の符号化／復号化、変調／復調、ＡＤ（Ａｎａｌｏｇ  ｔｏ  Ｄｉｇｉｔａｌ；アナログ−デジタル）／ＤＡ（Ｄｉｇｉｔａｌ  ｔｏ  Ａｎａｌｏｇ；デジタル−アナログ）変換、周波数変換、無線波によるデータ信号の送受信などの通信処理を行う。
【００１９】
主制御部２０６は、記憶部２０５が記憶する各種プログラムを読み出して実行し、無線子機２を制御する。
接続情報取得部２０６１は、ネットワークおよび無線子機通信部２０７を介して、無線親機から接続情報を取得し、無線親機または新たな無線親機への接続処理を行う。無線親機への接続処理を行う。接続情報とは、無線親機のＳＳＩＤの情報、当該ＳＳＩＤに対する暗号キーの情報の少なくともいずれか一方である。接続処理については後述する。
【００２０】
図３は、本発明の第１の実施形態に係るアクセスポイント１（無線通信装置）の構成の一例を示す概略ブロック図である。
アクセスポイント１は、表示部１０１と、操作部１０２と、音声入出力部１０３と、センサー部１０４と、記憶部１０５と、主制御部１０６と、通信部１１０と、送受信アンテナ１１１と、を含んで構成される。主制御部１０６は、接続部１０６１と、検出部１０６２と、判定部１０６３と、要求部１０６４と、取得部１０６５と、通知部１０６６と、を含んで構成される。通信部１１０は、近距離無線通信部１０７と、無線親機通信部１０８と、セルラー通信部１０９と、送受信アンテナ１１１と、を含んで構成される。送受信アンテナ１１１は、近距離無線通信部１０７の送受信アンテナ１１２と、無線親機通信部１０８の送受信アンテナ１１３と、セルラー通信部１０９の送受信アンテナ１１４と、を含んで構成される。
【００２１】
表示部１０１は、液晶ディスプレイ、プラズマディスプレイ、有機ＥＬディスプレイなどの表示装置を備え、主制御部１０６から入力される指示信号および画像信号に基づいて、画像を表示する。
操作部１０２は、キーボードやタッチパネルなどの入力装置を備え、ユーザからの操作を受け付け、当該操作に応じた操作信号を主制御部２０６に出力する。
【００２２】
音声入出力部１０３は、マイクなどの音声入力装置およびスピーカなどの音声出力装置を備え、ユーザからの音声入力に応じた音声信号を主制御部１０６に出力し、主制御部２０６から入力される音声信号に応じた音声を出力する。
センサー部１０４は、加速度センサー、モーションセンサー、接触センサーなどの各種センサーを備え、各センサーの検出値に応じた信号を主制御部１０６に出力する。
記憶部１０５は、無線子機２を制御するための各種プログラムや、各種情報を記憶し、主制御部１０６により、読み出しや書き込みが実行される。
【００２３】
通信部１１０は、主制御部１０６から入力される各種信号またはネットワークを介して受信した信号の符号化／復号化、変調／復調、ＡＤ（Ａｎａｌｏｇ  ｔｏ  Ｄｉｇｉｔａｌ；アナログ−デジタル）／ＤＡ（Ｄｉｇｉｔａｌ  ｔｏ  Ａｎａｌｏｇ；デジタル−アナログ）変換、周波数変換、無線波によるデータ信号の送受信などの通信処理を行う。
近距離無線通信部１０７は、送受信アンテナ１１２を介して他のアクセスポイント、例えばアクセスポイント３との間でデータ信号を送受信する。近距離無線通信部１０７は、例えば、ＮＦＣ（Ｎｅａｒ  Ｆｉｅｌｄ  Ｃｏｍｍｕｎｉｃａｔｉｏｎ：エヌエフシー）により他のアクセスポイントと通信を行う。近距離無線通信部１０７は、主制御部１０６から入力されたデータ信号を送信し、送受信アンテナ１１２を介して受信したデータ信号を主制御部１０６に出力する。
【００２４】
無線親機通信部１０８は、送受信アンテナ１１３、プライベートネットワークを介して無線子機２と無線通信を行う。無線親機通信部１０８は、主制御部１０６から入力されたデータ信号を送信し、プライベートネットワークを介して受信したデータ信号を主制御部１０６に出力する。
セルラー通信部１０９は、送受信アンテナ１１４を介して公衆ネットワークに接続し、公衆ネットワークに接続される電子機器と通信を行う。当該公衆ネットワークには、アクセスポイント１が通信する基地局装置、当該基地局装置と他の基地局装置との通信を中継する中継装置、ネットワーク管理装置、ホーム基地局装置（いずれも図示せず）などを含む。セルラー通信部１０９は、主制御部１０６から入力されたデータ信号を送信し、公衆ネットワークを介して受信したデータ信号を主制御部１０６に出力する。
【００２５】
主制御部１０６は、記憶部１０５が記憶する各種プログラムを読み出して実行し、アクセスポイント１を制御する。
接続部１０６１は、操作部１０２から入力される操作信号に基づいて、テザリング機能を実行して無線親機として動作するか否かを決定する。接続部１０６１は、無線親機として動作する場合、プライベートネットワークにおけるＳＳＩＤ（Ｓｅｖｉｃｅ  Ｓｅｔ  Ｉｄｅｎｔｉｆｅｒ：アクセスポイント識別子）およびパスワードを設定する。また、接続部１０６１は、無線親機として動作することを表す動作情報を検出部１０６２に出力する。そして、接続部１０６１は、設定したＳＳＩＤおよびパスワードを用いて電子機器が接続要求を行った場合に当該電子機器を無線子機２としてプライベートネットワークに接続させる。接続部１０６１は、当該無線子機２の機器情報を記憶部１０５に記憶させる。
【００２６】
検出部１０６２は、接続部１０６１から入力された動作情報に基づいて、アクセスポイント１の利用状態を検出する。検出部１０６２は、検出したアクセスポイント１の利用状態を表す情報を判定部１０６３に出力する。
判定部１０６３は、検出部１０６２から入力されたアクセスポイント１の利用状態を表す情報に基づいて、アクセスポイント１の利用状態が所定の条件を満たすか否かを判定する。具体的には、判定部１０６３は、アクセスポイント１の電池残量が電池残量の閾値未満である場合、アクセスポイント１の電池消費量が電池消費量の閾値以上である場合、アクセスポイント１におけるネットワークＮＷの電波受信状態が電波受信状態の閾値未満である場合、アクセスポイント１のネットワークＮＷの通信品質またはアクセスポイント１と無線子機２との通信品質が通信品質の閾値未満である場合のうちのいずれか一つに該当する場合、アクセスポイント１の利用状態が所定の条件を満たすと判定する。判定部１０６３は、アクセスポイント１の利用状態が所定の条件を満たすと判定した場合、要求部１０６４に指示信号を出力する。
要求部１０６４は、判定部１０６３から入力された指示信号に基づいて、自装置から他のアクセスポイントへの無線親機としての機能を移管するための移管処理を、取得部１０６５および通知部１０６６と連動して実行する。移管処理については後述する。
【００２７】
次いで、本発明の第１の実施形態に係るアクセスポイント３の構成について、図３を援用して説明する。
アクセスポイント３は、表示部３０１と、操作部３０２と、音声入出力部３０３と、センサー部３０４と、記憶部３０５と、主制御部３０６と、通信部３１０と、送受信アンテナ３１１と、を含んで構成される。主制御部３０６は、接続部３０６１と、要求部３０６４と、を含んで構成される。通信部３１０は、近距離無線通信部３０７と、無線親機通信部３０８と、セルラー通信部３０９と、送受信アンテナ３１１と、を含んで構成される。送受信アンテナ３１１は、近距離無線通信部３０７の送受信アンテナ３１２と、無線親機通信部３０８の送受信アンテナ３１３と、セルラー通信部３０９の送受信アンテナ３１４と、を含んで構成される。
アクセスポイント３の構成とアクセスポイント１の構成とを比較すると、主制御部３０６以外の構成は符号が異なるが同様であるため説明を省略し、アクセスポイント１と異なる主制御部３０６の処理を中心に説明する。
【００２８】
接続部３０６１は、アクセスポイント１から受信した移管要求に基づいて、テザリング機能を実行して新たな無線親機として動作するか否かを決定する。接続部３０６１は、新たな無線親機として動作する場合、自装置のプライベートネットワークにおけるＳＳＩＤおよびパスワードを設定する。また、接続部３０６１は、新たな無線親機として動作することを表す動作情報を要求部３０６４に出力する。そして、接続部３０６１は、設定したＳＳＩＤおよびパスワードを用いて電子機器が接続要求を行った場合に当該電子機器を無線子機２ａとして自装置のプライベートネットワークに接続させる。接続部３０６１は、当該無線子機２ａの機器情報を記憶部３０５に記憶させる。
要求部３０６４は、接続部３０６１から入力された動作情報に基づいて、自装置か無線親機としての機能を移管するための移管処理を実行する。移管処理については後述する。
【００２９】
図４は、本発明の第１の実施形態に係るアクセスポイント１、アクセスポイント３および電子機器（無線子機２）における移管処理の一例を示すシーケンス図である。
当該シーケンス図は、アクセスポイント１が無線親機として動作し、アクセスポイント１の利用状態が所定の条件を満たしたときに、アクセスポイント３を新たな無線親機として動作させるためのアクセスポイント１からアクセスポイント３への無線子機２の移管処理および接続処理の一例である。
【００３０】
ステップＳＴ１０１において、アクセスポイント１は、アクセスポイント３に対して、テザリング機能の動作実行要求（テザリングモードの起動依頼）を送信する。
ステップＳＴ１０２において、アクセスポイント３は、アクセスポイント１からテザリングモードの起動依頼を受信するとテザリングモードを起動してテザリング機能を動作させる。そしてアクセスポイント３は、自装置のテザリング機能が動作したことを表す応答をアクセスポイント１に送信する。
【００３１】
ステップＳＴ１０３において、アクセスポイント１は、アクセスポイント３から応答を受信すると、アクセスポイント１の取得部１０６５が自装置に接続する無線子機２の機器情報、例えばＭＡＣ（Ｍｅｄｉａ  Ａｃｃｅｓｓ  Ｃｏｎｔｒｏｌ）アドレスを記憶部１０５から読み出して取得し、当該無線子機２の機器情報をアクセスポイント３に通知する。
ステップＳＴ１０４において、アクセスポイント３は、アクセスポイント１から当該アクセスポイント１に接続する無線子機２の機器情報を受信すると、接続部３０６１がＳＳＩＤの情報と当該無線子機２の機器情報ごとの暗号キー、例えばワンタイムパスワードとを接続情報として生成し、当該接続情報をアクセスポイント１に送信する。
【００３２】
ステップＳＴ１０５において、アクセスポイント１は、アクセスポイント３から接続情報を受信すると通知部１０６６がアクセスポイント１からアクセスポイント３へのアクセスポイントの変更（移動）依頼を生成し、生成したアクセスポイントの移動依頼を自装置に接続する無線子機２１に送信する。
ステップＳＴ１０６において、アクセスポイント１は、アクセスポイント３から受信した接続情報および記憶部１０５が記憶する無線子機２１の機器情報を参照して、新たな無線親機となるアクセスポイント３に接続するためのＳＳＩＤの情報および無線子機２１用の暗号キーを無線子機２１に送信する。
ステップＳＴ１０７において、無線子機２１は、アクセスポイント１から受信したアクセスポイント３のＳＳＩＤの情報および暗号キーに基づいて、優先的にアクセスポイント３に対して接続を試行する。
【００３３】
ステップＳＴ１０８において、アクセスポイント１は、アクセスポイント３から接続情報を受信するとアクセスポイントの変更（移動）依頼を生成し、生成したアクセスポイントの移動依頼を自装置に接続する無線子機２２に送信する。
ステップＳＴ１０９において、アクセスポイント１は、アクセスポイント３から受信した接続情報および記憶部１０５が記憶する無線子機２２の機器情報を参照して、新たな無線親機となるアクセスポイント３に接続するためのＳＳＩＤの情報および無線子機２２用の暗号キーを無線子機２２に送信する。
ステップＳＴ１１０において、無線子機２２は、アクセスポイント１から受信したアクセスポイント３のＳＳＩＤの情報および暗号キーに基づいて、優先的にアクセスポイント３に対して接続を試行する。
【００３４】
このように、本実施形態によれば、無線通信装置（アクセスポイント１）は、電子機器（無線子機２）と通信接続する接続部１０６１と、自装置の利用状態を検出する検出部１０６２と、検出部１０６２により検出された自装置の利用状態が所定の条件を満たすか否かを判定する判定部１０６３と、判定部１０６３により自装置の利用状態が所定の条件を満たすと判定された場合に、通信接続された電子機器（無線子機）の機器情報と自装置から他の無線通信装置（アクセスポイント３）に電子機器（無線子機２）の接続を切り替える要求を送信する送信部（要求部１０６４）と、送信部（要求部１０６４）により機器情報および要求が送信された他の無線通信装置（アクセスポイント３）から接続情報を受信する受信部（取得部１０６５）と、受信部（取得部１０６５）により受信された接続情報を電子機器に通知する通知部１０６６と、を備える。
【００３５】
これにより、無線通信装置は、無線通信装置に接続する電子機器を他の無線通信装置に移管するときであっても、電子機器ごとに接続設定をすることがなく、現在の無線親機である無線通信装置から新たな無線親機である無線通信装置の接続情報を電子機器に通知することができるため、ユーザの利便性を向上させることができる。
【００３６】
（第２の実施形態）
以下、図面を参照しながら本発明の第２の実施形態について詳しく説明する。
本実施形態に係るアクセスポイント１、アクセスポイント３、無線子機２と第１の実施形態に係るアクセスポイント１、アクセスポイント３、無線子機２とを比較すると、同様の構成であるため、説明を省略し、本実施形態で異なる部分を中心に説明する。
図５は、本発明の第２の実施形態に係るアクセスポイント１、アクセスポイント３および電子機器（無線子機２）における移管処理の一例を示すシーケンス図である。
当該シーケンス図は、図４と同様にアクセスポイント１からアクセスポイント３への無線子機２の移管処理および接続処理の一例である。
【００３７】
ステップＳＴ２０１において、アクセスポイント１は、アクセスポイント３にテザリングモードの起動依頼を送信する。
ステップＳＴ２０２において、アクセスポイント３は、テザリングモードを起動し、自装置のテザリング機能が動作したことを表す応答をアクセスポイント１に送信する。
ステップＳＴ２０３において、アクセスポイント１は、自装置に接続する無線子機２の機器情報、例えばＭＡＣ（Ｍｅｄｉａ  Ａｃｃｅｓｓ  Ｃｏｎｔｒｏｌ）アドレスを記憶部１０５から読み出し、当該無線子機２の機器情報を、アクセスポイント３に通知する。
ステップＳＴ２０４において、アクセスポイント３は、アクセスポイント１から当該アクセスポイント１に接続する無線子機２の機器情報を受信すると、当該無線子機２の機器情報と記憶部３０５が記憶する過去に自装置に接続した無線子機２の機器情報とに基づいて、接続部３０６１がＳＳＩＤの情報と過去に自装置に接続したことがない無線子機２の機器情報ごとの暗号キー、例えばワンタイムパスワードとを接続情報として生成し、当該接続情報をアクセスポイント１に送信する。当該接続情報には、過去にアクセスポイント３に接続したことがある無線子機２の機器情報が含まれる。
【００３８】
ステップＳＴ２０５において、アクセスポイント１は、自装置からアクセスポイント３へのアクセスポイントの変更（移動）依頼を生成して、自装置に接続する無線子機２１に送信する。
ステップＳＴ２０６において、アクセスポイント１は、アクセスポイント３から受信した接続情報および記憶部１０５が記憶する無線子機２１の機器情報を参照して、無線子機２１が過去にアクセスポイント３接続したことがある場合、新たな無線親機となるアクセスポイント３に接続するためのＳＳＩＤの情報のみを無線子機２１に送信する。
ステップＳＴ２０７において、無線子機２１は、アクセスポイント１から受信したアクセスポイント３のＳＳＩＤの情報に基づいて、優先的にアクセスポイント３に対して接続を試行する。
【００３９】
ステップＳＴ２０８において、アクセスポイント１は、アクセスポイントの変更（移動）依頼を生成して、自装置に接続する無線子機２２に送信する。
ステップＳＴ２０９において、アクセスポイント１は、アクセスポイント３から受信した接続情報および記憶部１０５が記憶する無線子機２２の機器情報を参照して、過去に無線子機２２がアクセスポイント３に接続したことがない場合、新たな無線親機となるアクセスポイント３に接続するためのＳＳＩＤの情報および無線子機２２用の暗号キーを無線子機２２に送信する。
ステップＳＴ２１０において、無線子機２２は、アクセスポイント１から受信したアクセスポイント３のＳＳＩＤの情報および暗号キーに基づいて、優先的にアクセスポイント３に対して接続を試行する。
このように、本実施形態によれば、第１の実施形態と同様の効果を得ることができる。
【００４０】
（第３の実施形態）
以下、図面を参照しながら本発明の第３の実施形態について詳しく説明する。
本実施形態に係るアクセスポイント１、アクセスポイント３、無線子機２と第１の実施形態に係るアクセスポイント１、アクセスポイント３、無線子機２とを比較すると、同様の構成であるため、説明を省略し、本実施形態で異なる部分を中心に説明する。
図６は、本発明の第３の実施形態に係るアクセスポイント１、アクセスポイント３および電子機器（無線子機２）における移管処理の一例を示すシーケンス図である。
当該シーケンス図は、図４と同様にアクセスポイント１からアクセスポイント３への無線子機２の移管処理および接続処理の一例である。
【００４１】
ステップＳＴ３０１において、アクセスポイント１は、アクセスポイント３にテザリングモードの起動依頼を送信する。
ステップＳＴ３０２において、アクセスポイント３は、テザリングモードを起動し、自装置のテザリング機能が動作したことを表す応答をアクセスポイント１に送信する。
ステップＳＴ３０３において、アクセスポイント１は、自装置に接続する無線子機２の機器情報、例えばＭＡＣ（Ｍｅｄｉａ  Ａｃｃｅｓｓ  Ｃｏｎｔｒｏｌ）アドレスを記憶部１０５から読み出し、当該無線子機２の機器情報をアクセスポイント３に通知する。
ステップＳＴ３０４において、アクセスポイント３は、アクセスポイント１から当該アクセスポイント１に接続する無線子機２の機器情報を受信すると、当該無線子機２の機器情報と記憶部３０５が記憶する過去に自装置に接続した無線子機２の機器情報とに基づいて、接続部３０６１がＳＳＩＤの情報と過去に自装置に接続したことがない無線子機２の機器情報に対する一律の暗号キー、例えばワンタイムパスワードとを接続情報として生成し、当該接続情報をアクセスポイント１に送信する。当該接続情報には、過去にアクセスポイント３に接続したことがある無線子機２の機器情報が含まれる。
【００４２】
ステップＳＴ３０５において、アクセスポイント１は、自装置からアクセスポイント３へのアクセスポイントの変更（移動）依頼を生成して、自装置に接続する無線子機２１に送信する。
ステップＳＴ３０６において、アクセスポイント１は、アクセスポイント３から受信した接続情報および記憶部１０５が記憶する無線子機２１の機器情報を参照して、無線子機２１が過去にアクセスポイント３接続したことがある場合、新たな無線親機となるアクセスポイント３に接続するためのＳＳＩＤの情報のみを無線子機２１に送信する。
ステップＳＴ３０７において、無線子機２１は、アクセスポイント１から受信したアクセスポイント３のＳＳＩＤの情報に基づいて、優先的にアクセスポイント３に対して接続を試行する。
【００４３】
ステップＳＴ３０８において、アクセスポイント１は、アクセスポイントの変更（移動）依頼を生成して、自装置に接続する無線子機２２に送信する。
ステップＳＴ３０９において、アクセスポイント１は、アクセスポイント３から受信した接続情報および記憶部１０５が記憶する無線子機２２の機器情報を参照して、過去に無線子機２２がアクセスポイント３に接続したことがない場合、新たな無線親機となるアクセスポイント３に接続するためのＳＳＩＤの情報および暗号キーを無線子機２２に送信する。
ステップＳＴ２１０において、無線子機２２は、アクセスポイント１から受信したアクセスポイント３のＳＳＩＤの情報および暗号キーに基づいて、優先的にアクセスポイント３に対して接続を試行する。
このように、本実施形態によれば、第１の実施形態と同様の効果を得ることができる。
【００４４】
（第４の実施形態）
以下、図面を参照しながら本発明の第４の実施形態について詳しく説明する。
本実施形態に係るアクセスポイント１、アクセスポイント３、無線子機２と第１の実施形態に係るアクセスポイント１、アクセスポイント３、無線子機２とを比較すると、同様の構成であるため、説明を省略し、本実施形態で異なる部分を中心に説明する。
図７は、本発明の第４の実施形態に係るアクセスポイント１、アクセスポイント３および電子機器（無線子機２）における移管処理の一例を示すシーケンス図である。
当該シーケンス図は、図４と同様にアクセスポイント１からアクセスポイント３への無線子機２の移管処理および接続処理の一例である。
【００４５】
ステップＳＴ４０１において、アクセスポイント１は、アクセスポイント３にテザリングモードの起動依頼を送信する。
ステップＳＴ４０２において、アクセスポイント３は、テザリングモードを起動し、自装置のテザリング機能が動作したことを表す応答をアクセスポイント１に送信する。
ステップＳＴ４０３において、アクセスポイント１は、アクセスポイント３から応答を受信すると、暗号キー、例えばワンタイムパスワードの生成依頼をアクセスポイント３に送信する。
ステップＳＴ４０４において、アクセスポイント３は、アクセスポイント１から暗号キーの生成依頼を受信すると、接続部３０６１がＳＳＩＤの情報と暗号キーとを接続情報として生成し、当該接続情報をアクセスポイント１に送信する。
【００４６】
ステップＳＴ４０５において、アクセスポイント１は、自装置からアクセスポイント３へのアクセスポイントの変更（移動）依頼を生成して、自装置に接続する無線子機２１に送信する。
ステップＳＴ４０６において、アクセスポイント１は、アクセスポイント３から受信した接続情報を無線子機２１に送信する。
ステップＳＴ４０７において、無線子機２１は、アクセスポイント１から受信したアクセスポイント３の接続情報に基づいて、優先的にアクセスポイント３に対して接続を試行する。
【００４７】
ステップＳＴ４０８において、アクセスポイント１は、アクセスポイントの変更（移動）依頼を生成して、自装置に接続する無線子機２２に送信する。
ステップＳＴ４０９において、アクセスポイント１は、アクセスポイント３から受信した接続情報を無線子機２２に送信する。
ステップＳＴ４１０において、無線子機２２は、アクセスポイント１から受信したアクセスポイント３の接続情報に基づいて、優先的にアクセスポイント３に対して接続を試行する。
このように、本実施形態によれば、第１の実施形態と同様の効果を得ることができる。
【００４８】
（第５の実施形態）
以下、図面を参照しながら本発明の第５の実施形態について詳しく説明する。
本実施形態に係るアクセスポイント１、アクセスポイント３、無線子機２のそれぞれは、第１の実施形態に係るアクセスポイント１とアクセスポイント３と無線子機２との構成を備える。すなわち、アクセスポイント１、アクセスポイント３、無線子機２は、いずれも同じ構成であり、いずれも無線親機または無線子機として動作することが可能である。
【００４９】
図８〜１０は、本発明の第５の実施形態に係るアクセスポイント１、アクセスポイント３および電子機器（無線子機２）における移管処理の一例を示す概略図である。
図８では、第１の実施形態から第４の実施形態のように、移行前は、アクセスポイント１（第１アクセスポイント）が無線親機となり、当該無線親機に無線子機２（第１無線子機、第２無線子機、第３無線子機）が接続し、移行後はアクセスポイント３（第２アクセスポイント）が無線親機となり、当該当該無線親機に無線子機２（第１無線子機、第２無線子機、第３無線子機）が接続する一例について説明した。
本実施形態では、図９のように、移行前は、アクセスポイント１（第１アクセスポイント）が無線親機となり、当該無線親機に無線子機２（第１無線子機、第２無線子機、第３無線子機）が接続し、移行後は、第２無線子機が無線親機として動作し、当該当該無線親機に第１無線子機、第３無線子機が接続する。
なお、図１０に示すように、移行前は、アクセスポイント１（第１アクセスポイント）が無線親機となり、当該無線親機に無線子機２（第１無線子機、第２無線子機、第３無線子機）が接続し、移行後は、第２無線子機が無線親機として動作し、当該当該無線親機に第１無線子機、第３無線子機、第１アクセスポイントが接続するようにしてもよい。
【００５０】
このように、本実施形態によれば、無線親機の利用状態例えば、通信状態によって無線親機を切りかえることができる。また、例えば、プライベートネットワークに属するある無線子機と無線親機とが公衆ネットワークに接続可能であり、当該無線子機と無線親機との通信方式が異なる場合には、通信状態に応じて無線親機として動作する機器を切り替えることができるため、ユーザの利便性を向上させることができる。
【００５１】
なお、上述した第１の実施形態から第４の実施形態において、各アクセスポイントは、無線子機通信部を備えていてもよい。また、各アクセスポイントは、異なる構成の一例を示したが同じ構成であってもよい。
なお、上述した各実施形態において、各アクセスポイントは、音声入出力部、センサー部を備えなくてもよい。また、無線親機の移管を行うときに、現在の無線親機が無線子機に対してアクセスポイントが変更することを確認する画像を表示部によりユーザに提示し、操作部が操作信号を受け付けることで無線親機の移管を実行してもよい。
なお、上述した各実施形態において、暗号キーがワンタイムパスワードである一例について説明したが、当該ワンタイムパスワードの有効期限は、接続情報を生成する無線親機が設定してもよいし、現在の無線親機により設定してもよい。当該有効期限は、時間単位でもよいし、日数単位でもよいし、週単位でもよい。
また、上述した各実施形態において、無線通信システムは、車内や同じ室内などの現在の無線親機と当該無線親機に接続する無線子機とが新たな無線親機と通信可能な範囲に存在することが好ましい。
【００５２】
なお、上述した各実施形態における無線通信装置、電子機器の一部、または全部をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、無線通信装置、電子機器に内蔵されたコンピュータシステムであって、ＯＳ（Ｏｐｅｒａｔｉｎｇ  Ｓｙｓｔｅｍ）や周辺機器等のハードウェアを含むものとする。また、「コンピュータシステム」は、ＷＷＷ（Ｗｏｒｌｄ  Ｗｉｄｅ  Ｗｅｂ）システムを利用している場合であれば、ホームページ提供環境（あるいは表示環境）も含むものとする。
【００５３】
また、「コンピュータ読み取り可能な記録媒体」とは、フレキシブルディスク、光磁気ディスク、ＲＯＭ（Ｒｅａｄ−ｏｎｌｙ  Ｍｅｍｏｒｙ）、フラッシュメモリ等の書き込み可能な不揮発性メモリ、ＣＤ（Ｃｏｍｐａｃｔ  Ｄｉｓｃ）−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含んでも良い。
【００５４】
また上記プログラムは、前述した機能の一部を実現するためのものであっても良く、さらに前述した機能をコンピュータシステムにすでに記録されているプログラムとの組み合わせで実現できるものであっても良い。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【００５５】
また、上述した各実施形態における無線通信装置、電子機器の一部、または全部を、ＬＳＩ（Ｌａｒｇｅ  Ｓｃａｌｅ  Ｉｎｔｅｇｒａｔｉｏｎ）等の集積回路として実現しても良い。無線通信装置、電子機器の各機能ブロックは個別にプロセッサ化してもよいし、一部、または全部を集積してプロセッサ化しても良い。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いても良い。
【００５６】
以上、本発明の各実施形態について図面を参照して詳述したが、具体的な構成は実施形態に限られるものではない。各実施形態における各構成、および、それらの組み合わせ等は一例であり、本発明の趣旨から逸脱しない範囲内で、構成の付加、省略、置換、およびその他の変更が可能である。また、本発明は各実施形態によって限定されることはなく、特許請求の範囲によってのみ限定される。
【符号の説明】
【００５７】
Ｓ１…無線通信システム、１…アクセスポイント、２、２１、２１ａ、２２、２２ａ、２３、２３ａ…無線子機、３…アクセスポイント、１０１…表示部、１０２…操作部、１０３、音声入出力部、１０４…センサー部、１０５…記憶部、１０６…主制御部、１０６１…接続部、１０６２…検出部、１０６３…判定部、１０６４…要求部、１０６５…取得部、１０６６…通知部、１１０…通信部、１０７…近距離無線通信部、１０８…無線親機通信部、１０９…セルラー通信部、１１１、１１２、１１３、１１４…送受信アンテナ、２０１…表示部、２０２…操作部、２０３、音声入出力部、２０４…センサー部、２０５…記憶部、２０６…主制御部、２０６１…接続情報取得部、２０７…無線子機通信部、２０８…送受信アンテナ、３０１…表示部、３０２…操作部、３０３、音声入出力部、３０４…センサー部、３０５…記憶部、３０６…主制御部、３０６１…接続部、３０６４…要求部、３０６６…通知部、３１０…通信部、３０７…近距離無線通信部、３０８…無線親機通信部、３０９…セルラー通信部、３１１、３１２、３１３、３１４…送受信アンテナ
【図１】
2015091034.tif 000003
【図２】
2015091034.tif 000004
【図３】
2015091034.tif 000005
【図４】
2015091034.tif 000006
【図５】
2015091034.tif 000007
【図６】
2015091034.tif 000008
【図７】
2015091034.tif 000009
【図８】
2015091034.tif 000010
【図９】
2015091034.tif 000011
【図１０】
2015091034.tif 000012